(57)【要約】【課題】各種調整値の設定を容易に行うことができるようにする。【解決手段】オペレータがジョグダイヤル６を時計回りまたは反時計回りに回転させると、ジョグダイヤルインタフェース５は、ジョグダイヤル６から出力される回転に応じたパルス信号に対応するデータをＣＰＵ１に供給する。ＣＰＵ１は、このデータに基づいて、ジョグダイヤル６が時計回りまたは反時計回りに回転されたと判断し、表示部７に表示した調整値を回転方向に応じて増減させる。表示部７に所望の調整値が表示された状態で、キー入力部４の所定のキーを操作すると、表示部７に表示された調整値が確定され、ＥＥＰＲＯＭ１３に記憶される。ＣＰＵ１は、ＥＥＰＲＯＭ１３に記憶された調整値に基づいて各部を制御する。【選択図】図１
2005212863.tif 000002
【特許請求の範囲】
【請求項１】
各種調整項目の設定が可能なラベル貼付装置において、
回転操作に応じてパルス信号を出力するジョグダイヤルと、
前記調整項目を所定の表示装置に表示させる調整項目表示制御手段と、
前記ジョグダイヤルから出力される前記パルス信号に基づいて、前記表示装置に表示された前記調整項目の中から所定のものを選択する選択手段と、
前記選択手段によって選択された前記調整項目の所定のものの設定値を前記表示装置に表示させる設定値表示制御手段と、
前記ジョグダイヤルから出力される前記パルス信号に基づいて、前記表示装置に表示された前記設定値を増減させる増減手段と、
前記表示装置に表示された前記設定値を、前記調整項目の所定のものの調整値として設定する設定手段と、
前記設定手段によって設定された前記調整項目の所定のものの調整値を記憶する記憶手段と
を備えることを特徴とするラベル貼付装置。
【請求項２】
ラベルを１枚のみ紙送りする紙送り動作モードと所定枚数のラベルを連続送りする連続動作モードとを切替える切替え手段をさらに備え、
前記紙送り動作モードまたは前記連続動作モードにおいて、前記調整項目の調整値が設定される
ことを特徴とする請求項１に記載のラベル貼付装置。
【発明の詳細な説明】
【技術分野】
【０００１】
本発明は、ラベル貼付装置に関し、特に、各種調整項目の設定を行うことができるラベル貼付装置に関する。
【背景技術】
【０００２】
従来のラベル貼付装置では、ラベル貼付位置、ラベル停止位置、ラベルの圧着時間、ラベル繰出速度等の各調整項目の設定は下記のような方法で行われていた。第１の方法は、可変抵抗器（ボリューム）を操作して調整値を設定するものである。この方法によれば、可変抵抗器の調整位置を見ながら調整値を設定することができる。第２の方法は、キー操作により調整値を設定するものである。この方法によれば、数値により調整値を設定することができる。
また、ジョグダイヤルを回転させることにより、その回転に同期して必要とする測定データをメモリから読み出し、記録紙に記録するようにしたものがある（例えば、特許文献１参照）。
【特許文献１】特開平５−１４１９９４号公報
【発明の開示】
【発明が解決しようとする課題】
【０００３】
しかしながら、従来のラベル貼付装置における第１の方法では、調整位置を見ながら調整値を設定することは可能であるが、設定した調整値が不明であるため、所望の調整値に設定するのに時間がかかるという問題があった。また、調整項目毎に可変抵抗器が必要となるという問題もあった。また、第２の方法では、調整値を数値により設定することができるため、大まかな数値の設定は容易に行うことができるが、細かい数値を設定する場合にはキー操作を多数回に亙って行う必要があり、操作が煩雑になるという問題があった。また、特許文献１に記載の発明は、メモリに記憶した波形や測定データを表示し、ジョグダイヤルにより記録範囲を指定することで、記録紙の余分な使用やロス時間を無くすもので、ラベル貼付装置を動作させながら各調整項目を設定するものではなかった。
【０００４】
本発明はこのような状況に鑑みてなされたものであり、各種調整値をジョグダイヤルを用いて設定することができるようにするものである。
【課題を解決するための手段】
【０００５】
請求項１に記載のラベル貼付装置は、各種調整項目の設定が可能なラベル貼付装置において、回転操作に応じてパルス信号を出力するジョグダイヤルと、調整項目を所定の表示装置に表示させる調整項目表示制御手段と、ジョグダイヤルから出力されるパルス信号に基づいて、表示装置に表示された調整項目の中から所定のものを選択する選択手段と、選択手段によって選択された調整項目の所定のものの設定値を表示装置に表示させる設定値表示制御手段と、ジョグダイヤルから出力されるパルス信号に基づいて、表示装置に表示された設定値を増減させる増減手段と、表示装置に表示された設定値を、調整項目の所定のものの調整値として設定する設定手段と、設定手段によって設定された調整項目の所定のものの調整値を記憶する記憶手段とを備えることを特徴とする。
また、ラベルを１枚のみ紙送りする紙送り動作モードと所定枚数のラベルを連続送りする連続動作モードとを切替える切替え手段をさらに備え、紙送り動作モードまたは連続動作モードにおいて、調整項目の調整値が設定されるようにすることができる。
【発明の効果】
【０００６】
本発明のラベル貼付装置によれば、ラベル貼付装置を動作させながら各種調整項目の設定をすることができ、また、調整値を目視で確認しながら簡単かつ迅速に行うことができると共に、可変抵抗器（ボリューム）やキー等を削減することができる。
【発明を実施するための最良の形態】
【０００７】
図１は、本発明のラベル貼付装置の一実施の形態の構成例を示すブロック図である。同図に示すように、本実施の形態は、各部を制御するとともに、後述する各種調整項目の設定等を行うＣＰＵ１と、制御プログラム等を記憶するＲＯＭ（ｒｅａｄ  ｏｎｌｙ  ｍｅｍｏｒｙ）２と、ＣＰＵ１が各種処理を実行する上で必要となる各種データを記憶するＲＡＭ（ｒａｎｄｏｍ  ａｃｃｅｓｓ  ｍｅｍｏｒｙ）３と、各種コマンドやデータを入力するためのキー入力部４と、ジョグダイヤル６を制御し、ジョグダイヤル６から出力される回転に応じたパルス信号に対応するデータをＣＰＵ１に供給するジョグダイヤルインタフェース５と、各種データを表示する表示部７と、ラベルを後述するラベル貼付機１１に供給する図示せぬラベル供給部を駆動する搬送モータ９と、搬送モータ９を制御するモータ制御部８と、所定のタイミングで物品にラベルを貼付するラベル貼付機１１を制御するラベル貼付制御部１０と、外部装置との間でデータの送受信を行うための外部インタフェース１２と、各種調整値を記憶するＥＥＰＲＯＭ（ｅｌｅｃｔｒｉｃａｌｌｙ  ｅｒａｓａｂｌｅ  ａｎｄ  ｐｒｏｇｒａｍｍａｂｌｅ  ｒｅａｄ  ｏｎｌｙ  ｍｅｍｏｒｙ）１３とから構成されている。
【０００８】
図２は、本実施の形態の外観図を示している。同図に示すように、本実施の形態の前面には、表示部７、キー入力部４、ジョグダイヤル６がそれぞれ配置されている。キー入力部４は、「運転／停止」キー２０、「紙送り」キー２１、「ＥＮＴＥＲ」キー２２より構成されている。
【０００９】
「運転／停止」キー２０は、運転（オンライン）または停止（オフライン）の切り替えを行うときに操作される。「紙送り」キー２１は、ラベルを１枚繰り出すときに操作される。「ＥＮＴＥＲ」キー２２は、現在表示部７に表示されている調整値を設定し、ＥＥＰＲＯＭ１３に記憶させると共に、次の設定画面に移行するときに操作される。
【００１０】
設定可能な調整項目としては、例えば、「ラベル繰出速度」、「ラベル長さ（搬送方向の長さ）」、「ラベル停止位置」、「ラベル貼付位置」、「ラベル圧着タイマ」、「ラベル吹き付けタイマ」、「コンベア速度」、「物品長さ（搬送方向の長さ）」等がある。
【００１１】
調整項目「ラベル繰出速度」は、ラベルを繰り出す速度を設定する項目である。調整項目「ラベル長さ」は、ラベルの搬送方向の長さを調整する項目である。調整項目「ラベル停止位置」は、ラベルを剥離する位置におけるラベル停止位置を設定する項目である。調整項目「ラベル貼付位置」は、物品の搬送方向のラベル貼り付け位置を設定する項目である。調整項目「ラベル圧着タイマ」は、製品にラベルを圧着する時間の調整を行うタイマを設定する項目である。調整項目「ラベル吹き付けタイマ」は、物品にエアを吹き付ける時間の調整を行うタイマを設定する項目である。調整項目「コンベア速度」は、コンベアが物品を搬送する速度を設定する項目である。調整項目「物品長さ」は、物品の搬送方向の長さを設定する項目である。
【００１２】
以下では、調整項目として「ラベル停止位置」を選択し、ラベル停止位置を設定する場合の操作手順について説明する。電源立ち上げ時には、図２に示すように、ＣＰＵ１により、各調整項目が所定の順番で並べられ、先頭から「ラベル繰出速度」、「ラベル長さ」、「ラベル停止位置」が表示部７に表示され、矩形カーソルが最初の調整項目「ラベル繰出速度」に表示されている。さらに、表示部７にオンライン状態を示す「運転中」が表示される。
【００１３】
オペレータが「運転／停止」キー２０を押下すると、オンラインの状態（オンラインモード）またはオフラインの状態（オフラインモード）に切り替えることができる。図３は、オンラインモードに切り替えられた場合の表示部７の表示例を示している。図４は、オフラインモードに切り替えられた場合の表示部７の表示例を示している。オフラインモードに切り替えられた場合、表示部７には、文字列「停止中」が表示される。
【００１４】
次に、オペレータは、「運転／停止」キー２０を押下してオフライン状態に切り替え、矩形カーソルが調整項目「ラベル停止位置」に移動するようにジョグダイヤル６を時計回りに所定量だけ回転させる。ジョグダイヤルインタフェース５は、ジョグダイヤル６の回転に応じたパルス信号に対応するデータをＣＰＵ１に供給する。ＣＰＵ１は、このデータに基づいて、ジョグダイヤル６が時計回りに回転されたと判断し、図５に示すように、調整項目「ラベル停止位置」に矩形カーソルを移動させる。またさらに、ジョグダイヤル６を回転させた場合は、矩形カーソルがそのままの状態で表示され、調整項目のみが「ラベル停止位置」から「ラベル貼付位置」、「ラベル圧着タイマ」、「ラベル吹き付けタイマ」、「コンベア速度」、「物品長さ（搬送方向の長さ）」の順でスクロール表示され、各調整項目を一巡すると「ラベル繰出速度」に戻る。
【００１５】
次に、オペレータが「ＥＮＴＥＲ」キー２２を押下すると、ＣＰＵ１の制御により、図６に示すように、表示部７にラベル停止位置設定画面が表示され、ラベル停止位置設定モードに入る。最初、表示部７には調整値として「０．０ｍｍ」が表示される。この例では、調整項目「ラベル停止位置」の調整値として、−１０．０乃至＋１０．０（ｍｍ）を設定することができる。
【００１６】
図６のラベル停止位置設定画面において、オペレータがジョグダイヤル６を時計回りに回転させると、ＣＰＵ１は、表示部７に表示されている数値を０．１ずつ増加させる。この場合、図７に示すように、オペレータによるジョグダイヤル６の操作により、表示部７に「５．０ｍｍ」が表示される。
【００１７】
次に、オペレータが「紙送り」キー２１を押下すると、１枚だけラベルがフィードされ、上記で設定された所定の位置で停止する。オペレータは、フィードされたラベルの位置を目視で確認することにより、設定した調整値に対する実際の停止位置が適正な位置であるか否かを判断し、適正でない位置の場合は、再度ジョグダイヤル６を時計回りまたは反時計回りに回転させ、上記操作を繰り返し行い、ラベルが適正な停止位置の場合は、オペレータは「ＥＮＴＥＲ」キー２２を押下することで、表示部７に表示されている値がＣＰＵ１の制御により調整項目「ラベル停止位置」の調整値として設定され、ＥＥＰＲＯＭ１３に記憶される。
【００１８】
或いは、図８に示すように、「運転／停止」キー２０を押下してオンライン状態に切り替え、連続動作をさせながら物品に貼り付けられたラベルの位置を確認して、ジョグダイヤル６を操作することで適切な調整値を設定することもできる。ラベルが適切な停止位置になった場合は、オペレータは「ＥＮＴＥＲ」キー２２を押下することで、表示部７に表示されている値がＣＰＵ１の制御により調整項目「ラベル停止位置」の調整値として設定され、ＥＥＰＲＯＭ１３に記憶される。
【００１９】
以上のようにして、ジョグダイヤル６を用いて調整項目「ラベル停止位置」を表示部７に表示された調整値を目視で確認しながら簡単かつ迅速に設定することができる。また、その他の調整項目についても基本的に同様の手順で所望の調整値を設定することができる。
【００２０】
このように、ジョグダイヤル６を用いて調整値を簡単に設定することができるため、可変抵抗器やキー等の数を削減することができ、機器のコストを下げることができる。さらに、調整値の設定のために消費するラベル等の数を減らすことができ、無駄を削減することができる。
【００２１】
調整値を設定した後、ＣＰＵ１は、ＥＥＰＲＯＭ１３に記憶された各種調整値に基づいて各種処理を実行する。
【００２２】
なお、上記実施の形態の構成及び動作は例であって、本発明の趣旨を逸脱しない範囲で適宜変更することができることは言うまでもない。
【図面の簡単な説明】
【００２３】
【図１】本発明のラベル貼付装置の一実施の形態の構成例を示すブロック図である。
【図２】図１の実施の形態の前面の外観図である。
【図３】調整項目「ラベル停止位置」設定時の表示部の表示例を示す図である。
【図４】調整項目「ラベル停止位置」設定時の表示部の表示例を示す図である。
【図５】調整項目「ラベル停止位置」設定時の表示部の表示例を示す図である。
【図６】調整項目「ラベル停止位置」設定時の表示部の表示例を示す図である。
【図７】調整項目「ラベル停止位置」設定時の表示部の表示例を示す図である。
【図８】調整項目「ラベル停止位置」設定時の表示部の表示例を示す図である。
【符号の説明】
【００２４】
１  ＣＰＵ
２  ＲＯＭ
３  ＲＡＭ
４  キー入力部
５  ジョグダイヤルインタフェース
６  ジョグダイヤル
７  表示部
８  モータ制御部
９  搬送モータ
１０  ラベル貼付制御部
１１  ラベル貼付機
１２  外部インタフェース
１３  ＥＥＰＲＯＭ
２０  「運転／停止」キー
２１  「紙送り」キー
２２  「ＥＮＴＥＲ」キー
【図１】
2005212863.tif 000003
【図２】
2005212863.tif 000004
【図３】
2005212863.tif 000005
【図４】
2005212863.tif 000006
【図５】
2005212863.tif 000007
【図６】
2005212863.tif 000008
【図７】
2005212863.tif 000009
【図８】
2005212863.tif 000010